(57)【特許請求の範囲】
【請求項１】
複数のユーザの各々の心拍変動を測定するセンサと、
特定周波数でのペーシングシグナルを生成するプロセッサとを有するシステムであって、
前記プロセッサは、前記複数のユーザに対して測定された複数の心拍変動のうち少なくとも１つを前記ペーシングシグナルの生成への入力として使用するように構成され、
当該システムは、各ユーザに対して自己の測定された心拍変動に基づく出力を提示し、前記生成されたペーシングシグナルに基づく呼吸ペーサ刺激を各ユーザに対して個別に提示する、出力システムを有する、システム。
【請求項２】
前記出力システムが、前記ユーザの心拍変動のらせん表現を経時的に表示する表示装置を有する、請求項１に記載のシステム。
【請求項３】
前記出力システムがさらに、異なるユーザの前記測定された生理的パラメータに基づく出力をユーザへ提示する、請求項１又は２に記載のシステム。
【請求項４】
前記出力システムが、前記生成されたペーシングシグナルに基づく出力を各ユーザへ提示するとき、第一ユーザへ第一出力を提示し、第二ユーザへ第二出力を提示し、前記第二出力は前記第一出力と位相がずれている、請求項１乃至３のいずれか一項に記載のシステム。
【請求項５】
前記第一出力が実質的に前記第二出力と位相が１８０度ずれている、請求項４に記載のシステム。
【請求項６】
前記プロセッサが前記ユーザの性別を決定し、前記第一出力は男性ユーザへ提示され、前記第二出力は女性ユーザへ提示される、請求項４又は５に記載のシステム。
【発明の詳細な説明】
【技術分野】
【０００１】
本発明は複数ユーザの心拍パラメータを同期させるための方法及びシステムに関する。
【背景技術】
【０００２】
呼吸は心拍数を調節することがよく知られている（呼吸性洞性不整脈、ＲＳＡ）。ヨガなどの瞑想術はこの原理を利用する。心拍数の変動すなわち心拍変動（ＨＲＶ）は自律神経系（ＡＮＳ）によるものである。心拍数の増加は副交感（迷走）神経系によるものであり、一方心拍数の減少は交感神経系によるものである。瞑想術（禅で行われるような）において、心拍変動のスペクトルの低周波数部分はスペクトルの高周波部分に対して増加される。これは瞑想を行っている個人の健康にとって有益である（リラックスさせる）とされている。
【０００３】
個人を支援するために、ユーザへ出力を提供することが知られている。例えば、米国特許出願公開番号ＵＳ  ２００５／０２０９５０３は、心拍変動周期を呼吸周期と同期させるために、呼吸周期を外部タイミング基準と同期させるための聴覚刺激及び視覚刺激を提示する方法を開示している。聴覚刺激及び視覚刺激を提示する方法は、それによってユーザが心拍変動周期のコヒーレンスを得るのを助ける。聴覚指標及び視覚指標のファミリーは、呼吸相、呼吸相の変化、位相内の時間の進行、及び実践者の体内知覚に対する位相の進行を伝えるために指定される。
【０００４】
この技術、ならびにＨｅａｒｔｍａｔｈ（ｗｗｗ．ｈｅａｒｔｍａｔｈ．ｃｏｍ）及びＲｅｓｐｅｒａｔｅ（ｗｗｗ．ｒｅｓｐｅｒａｔｅ．ｃｏｍ）などの他の既存のアプリケーションは全て単一ユーザに焦点を合わせている。
【発明の概要】
【発明が解決しようとする課題】
【０００５】
従って、従来技術を改良することが本発明の目的である。
【課題を解決するための手段】
【０００６】
本発明の第一の態様によれば、特定周波数でペーシングシグナルを生成するステップ、複数ユーザの各々の生理的パラメータを測定するステップ、各ユーザの測定された生理的パラメータに基づく出力を各ユーザへ提示するステップ、及び生成されたペーシングシグナルに基づく出力を各ユーザへ提示するステップを有する、複数ユーザの心拍パラメータを同期させる方法が提供される。
【０００７】
本発明の第二の態様によれば、特定周波数で、各ユーザに対して、ペーシングシグナルを生成するプロセッサと、ユーザの生理的パラメータを測定するセンサと、各ユーザの測定された生理的パラメータに基づく出力をユーザへ提示し、生成されたペーシングシグナルに基づく出力をユーザへ提示する、出力システムとを有する、複数ユーザの心拍パラメータを同期させるためのシステムが提供される。
【０００８】
本発明により、複数の個人に適用可能な同期システムを提供することが可能である。このシステムにおいて、２人（又はそれ以上）に対して同期された心拍変動の効果を測定し考慮するアプリケーションが提案される。これは、例えばタントラなどの瞑想術において多くの異なる用途を持つ。例えば、タントラは逆呼吸（ｃｏｎｔｒａｒｙ  ｂｒｅａｔｈｉｎｇ）が２人の個人により高い恍惚レベルをもたらすと教えており、これは本発明のシステムを用いて実現されることができる。一実施形態において、測定された生理的パラメータは心拍変動（ＨＲＶ）を有する。視覚的であり得る、ＨＲＶのユーザへの直接フィードバックは、ＨＲＶ測定値（心拍間隔）がコヒーレンス範囲内（円形バウンディングボックスの特定距離内）にあるかどうかを決定するより速い方法を提供する。既知のシステムにおいて、例えばＨｅａｒｔｍａｔｈなどは、例えばＨＲＶのパワースペクトル解析を使用し、これはかなり遅く（１分）、突発的な短いイベントに敏感である。
【０００９】
この実施形態において、該システムは異なる人の間で心拍の同期を提供する。複数の人の心拍変動は時間ベースの方法を用いて測定及び解析される。心拍コヒーレンスは心拍間隔楕円（二次元の視覚的出力で表現されることができる）を用いて観察される。例えば動転又は驚愕によるコヒーレンス状態の中断は、楕円軌道からの急激な即時の逸脱をもたらし、これは視覚的フィードバックに示される。これはユーザに対してガイダンスとある程度のコヒーレンスを維持しながら突発的イベントの迅速な視覚化と検出を可能にする。加えて、心拍センサの動きが同時に観察されるとき、モーションアーチファクトによるイベントはデジタル領域におけるデータフローからフィルタ除去されることができる。
【００１０】
理想的には、各ユーザの測定された生理的パラメータに基づく出力を各ユーザへ提示するステップは、ユーザの心拍変動のらせん表現を経時的に表示するステップを有する。らせんの使用は、ユーザが容易にアクセス可能な方法で変動についての情報を経時的に示すことができる表示を各ユーザへ提供する。
【００１１】
好適には、生成されたペーシングシグナルに基づく出力を各ユーザへ提示するステップは、第一ユーザへ第一出力を提示するステップと、第二ユーザへ第二出力を提示するステップを有し、第二出力は第一出力と位相がずれている。該システムは２人（又はそれ以上）の心拍パラメータ（心臓の速度及び／又は変動など）を同期させるために使用されることができるが、必ずしも２人が同相である必要はない。ユーザの心臓を制御するために使用されるペーシングシグナルの周波数は、両方の（又は全ての）ユーザに対して同じであるが、必ずしも同位相である必要はない。
【００１２】
該システムは、参加者の心拍数において１８０度の位相シフトを実現するように操作されることができる。（大きな）ユーザグループを用いるシステムにおいて、女性のメンバーは男性のメンバーから１８０度シフトされた心拍変動／呼吸リズム位相を持つことができる。この場合、該システムはユーザ入力を介して、又はユーザのプロフィールにアクセスすることによって、各ユーザの性別を決定する必要がある。該システムは原則的に任意の所望の位相シフトを実現するように操作されることができる。
【００１３】
有利なことに、特定周波数でペーシングシグナルを生成するステップは、測定された生理的パラメータの少なくとも１つを、ペーシングシグナルの生成への入力として使用するステップを有する。ユーザ間の同期を駆動するために使用されるシグナルは、ユーザのうちの１人以上の出力から（全部又は一部が）導き出されることができる。例えば、複数のユーザが既に比較的緊密に同期していると検出される場合、これはペーシングシグナルの生成のための基準として使用されることができる。これはペーシングシグナルを生成する効率的な方法である。
【００１４】
理想的には、該方法はさらに、異なるユーザの測定された生理的パラメータに基づく出力をユーザへ提示するステップを有する。自分自身のフィードバックに加えて、ユーザは異なるユーザに関連するフィードバックも提供されることができる。例えば、２人のユーザを持つシステムにおいて、各ユーザへの出力はユーザの両方の現在のパフォーマンスを示すことができ、これらは互いに重ね合わされ得る。これはユーザへのより多くの情報提供を支援し、これはユーザの同期作業の速度と精度を大幅に改良することになる。
【００１５】
第二の実施形態において、該システムは、同期されたコヒーレントグループ瞑想、又は人間同士の交流の増進サービスを提供することができ、これらはインターネットを利用し得る。同期されたペーサの呼吸ペーサは、グループ瞑想に参加している人々の同調を促進することができる。同調したグループに参加することは、変革的体験（ｔｒａｎｓｆｏｒｍａｔｉｖｅ  ｅｘｐｅｒｉｅｎｃｅ）となり得る。こうした同調がインターネットを通して提供される場合、より多くの観客が互いに同調することができ、有益な効果を大きく増強させる。同調する人々の大きなグループの効果は、Ｐｒｉｎｃｅｔｏｎ  Ｕｎｉｖｅｒｓｉｔｙのｇｌｏｂａｌ  ｃｏｎｓｃｉｏｕｓｎｅｓｓ  ｐｒｏｊｅｃｔによって研究中である。
【００１６】
本発明の実施形態は、ほんの一例として、添付図面を参照して説明される。
【図面の簡単な説明】
【００１７】
【図１】複数ユーザの心拍パラメータを同期させるためのシステムの概略図である。
【図２】図１のシステムを操作する方法のフローチャートである。
【図３】該システムの第二の実施形態の概略図である。
【図４】図３のシステムで使用するためのグラフィカルインターフェースの異なる図を示す。
【図５】図３のシステムで使用するためのグラフィカルインターフェースの異なる図を示す。
【図６】図３のシステムで使用するためのグラフィカルインターフェースの異なる図を示す。
【図７】２人の異なるユーザに対する測定された生理的データを示す概略図である。
【図８】平行移動及びスケーリング後の図７のデータを示す概略図である。
【図９】時間軸の追加後の図８のデータを示す概略図である。
【図１０】２人の異なるユーザに対する測定された生理的データを示すさらなる概略図である。
【発明を実施するための形態】
【００１８】
複数ユーザ１２の心拍パラメータを同期させるためのシステム１０の第一の実施形態が図１に示され、この実施例では２人のユーザの心拍パラメータが同期されている。この図において、２人のユーザ１２は同じ物理的位置にいるように示されるが、これはそうである必要はない。２人のユーザ１２は互いから離れて位置することができ、インターネットなどの広域ネットワークによって接続されることができる。ユーザ１２は互いに直接接続される必要はなく、両者は例えばウェブサイトによって提供されるウェブサービスに接続されることができる。
【００１９】
システム１０はまた、特定周波数で、及び各ユーザ１２に対して、ペーシングシグナル１６を生成するプロセッサ１４と、各ユーザ１２の生理的パラメータを測定するセンサ１８と、ユーザ１２の測定された生理的パラメータに基づく出力を各ユーザへ提示し、かつ生成されたペーシングシグナル１６に基づく出力をユーザへ提示する出力システム２０（ここでは表示装置）も有する。ユーザ１２への実際の出力は図３から図１０に関して以下でより詳細に論じられる。
【００２０】
図１において、各ユーザ１２は心拍を測定するために手首に固定されたセンサ１８を装着しているように示される。システム１０の実際の実施においては、両方のユーザ１２が同じセンサ１８を使用する要件も、同じ生理的パラメータが各ユーザ１２に対して測定される要件もない。例えば、第一ユーザ１２は電気皮膚反応を測定するセンサ１８を使用していてもよく、第二ユーザ１２はユーザの呼吸を観察しているカメラから成るセンサ１８を使用していてもよい。複数の生理的パラメータを測定するため、又は特定の生理的パラメータのより正確な測定結果を得るために、複数のセンサ１８が個々のユーザ１２に対して使用されることができる。測定された生理的パラメータは心拍変動を有することができる。
【００２１】
生成されたペーシングシグナル１６に基づく出力を各ユーザ１２へ提示するステップは、第一ユーザ１２へ第一出力を提示するステップと、第二ユーザ１２へ第二出力を提示するステップを有し、第二出力は第一出力と位相がずれている。２人のユーザ１２の間に望まれる同期は、同相の同期である必要はない。例えば、２人のユーザ１２の心拍パラメータが、例えば１８０度位相がずれるように同期させることが望まれる可能性がある。
【００２２】
一般的に、呼吸ペーシングのコンプライアンスは、心拍センサがベルトなどで胴体（胸部又は腹部）に装着されるならば、心拍センサに組み込まれる３Ｄ加速度計で測定されることができる。こうした３Ｄ加速度計は、例えばＡｎａｌｏｇ  Ｄｅｖｉｃｅｓ  ＡＤＸＬ３３０を用いて組み込まれることができる。そしてコンプライアンスからの逸脱はユーザ１２へ信号で伝えられることができる。瞑想のためには、動かないでいることが有利であり、脊椎が真に垂直である必要がある。不穏レベルと脊椎方向もまた、加速度計出力から導き出されることができる。
【００２３】
図２は図１のシステムを操作する方法を要約する。複数ユーザの心拍パラメータを同期させる方法は、ステップＳ１において、特定周波数でペーシングシグナル１６を生成するステップを有する。この後、ステップＳ２において、複数ユーザ１２の各々の生理的パラメータの測定が続く。一旦パラメータが測定されると、その後、各ユーザ１２の測定された生理的パラメータに基づく出力を各ユーザ１２へ提示するステップＳ３と、生成されたペーシングシグナル１６に基づく出力を各ユーザ１２へ提示するステップＳ４が続く。複数ユーザ１２の各々の生理的パラメータが継続的に測定され、ステップＳ３のフィードバックが同様に反応するように、フローチャートにはループが示される。
【００２４】
特定周波数でペーシングシグナル１６を生成するステップＳ１は、測定された生理的パラメータの少なくとも１つを、ペーシングシグナル１６の生成への入力として使用するステップを有することができる。この場合ステップＳ２はステップＳ１の前又はステップＳ１と同時に起こる。ペーシングシグナル１６はユーザ１２のうちの１人の現在の状態に基づくことができる。例えば、２人のユーザ１２が、彼らの心拍が１８０度位相がずれるように訓練するためにシステム１０を使用しているかもしれない。システム１０は、ユーザの現在の心拍を測定し、それらの測定された心拍のうちどちらをペーシングシグナル１６の基準として使用すべきかを決定してもよく、例えば測定された低い方の心拍をペーシングシグナル１６の周波数として使用する。
【００２５】
ステップＳ３はまた、異なるユーザ１２の測定された生理的パラメータに基づく出力をユーザ１２へさらに提示することによって拡張され得る。従って、自分自身の現在のパフォーマンスを見ることに加えて、ユーザ１２は１人以上の他のユーザのパフォーマンスを見てもよい。
【００２６】
図１に示されるものよりも複雑なシステムは、心拍変動（ＨＲＶ）の測定あたりに基づき得る。この実施形態において、システム１０の本質的特徴は、システム１０を用いて（例えばＪ＆Ｊ  Ｅｎｇｉｎｅｅｒｉｎｇ，Ｐｏｕｌｓｂｏ，ＷＡ，ＵＳＡによって作られたＣ２＋を用いて）複数の人１２からＨＲＶを測定することと、複数の人１２からのＨＲＶを刺激（視覚、聴覚、触覚）を用いて互いに同期させることを含む。
【００２７】
刺激はペーシングシグナル１６に基づき、ペーシングシグナル１６の周波数は各人に対して同じである。上述の通り、このペーシングシグナル１６の位相は各人１２に対して異なって設定されることができる。プロセッサ１４によって、複数の人１２の測定されたＨＲＶの実際の位相が回復され、これがペーシングシグナル１６の指示された位相に対応するかどうかがチェックされる。好適な実施形態において、センサ１８によって測定されたＨＲＶシグナルはプロセッサ１４によって心拍間隔（時間領域）において処理される。
【００２８】
ユーザへ提供されるフィードバックは、例えば視覚、聴覚、又は触覚によるものであることができるが、システム１０の好適な実施形態において、ＨＲＶ時系列は表示装置上に二次元でプロットされる。すなわちｔ‐ｔ＿ｎ  ｖｓ．  ｔ‐ｔ＿（ｎ−ｉ）、ここでｔ＿ｎはｎ番目の測定された心拍間隔であり、ｉは整数である。これはＨＲＶシグナル間の位相差についてのフィードバックを提供し、従って両方の人１２からの呼吸パターンを提供する。
【００２９】
本発明のこの実施形態のシステムの概略は図３に描かれ、これはシステム１０のこの実施形態の概略を示す。リラックスシステム１０は、Ｓ１からＳｉとラベルされた複数のセンサ１８を介してシステム１０によって取得されるＨＲＶシグナルを測定し、比較し、それについてのフィードバックを与える。各センサ１８は１人の人１２の心拍（ＨＲＶ）を測定する。心拍及びＨＲＶを検出することができるセンサ１８の例は、光電脈波、ＥＣＧレコーダ、及び心弾動図を測定するための装置である。システム１０は各人１２に対して呼吸ペーサ刺激を個別に提供することができる。
【００３０】
図４は、図３に関連して記載されたようなシステム１０の機能を持つ、プロセッサ１４によって実行されるコンピュータプログラムのグラフィカルインターフェース２２を示す。該コンピュータプログラムは視覚的な呼吸ペーサ刺激２４（図４の右のバー２４）を提供する。バー２４が上昇するとき、一方の人１２は息を吸い込み、他方の人１２は息を吐き出す（２つの刺激が１つの視覚的ペーサを効果的に使用する）。バー２４は生成されたペーシングシグナル１６に基づく出力２４である。バー２４の動きは、システム１０を使用しているユーザ１２の呼吸（従って心拍）を制御するように設計される。両方のユーザが同じバー２４を見ていることが想定されるが、ユーザ１２へフィードバックを提供するために個々のバー２４が使用されることができる。
【００３１】
図４はコンピュータ実装アプリケーションのスクリーンダンプである。右側には呼吸ペーサが振動バー２４として示される。上部グラフ２６は２人の人のＩＢＩ楕円２８を異なる２色で示す。これらの楕円２８はユーザ１２の測定された生理的パラメータに基づく出力２８である。中央グラフ３０は１人のユーザ１２の経時的な心拍を示す。下部グラフ３２はこのユーザ１２の心拍変動を経時的に示す。心拍データはこの実施形態において光電脈波で取得される。中央グラフ３０は１人の人の心拍パルスを視覚化する。下部グラフ３２は同じ人の心拍変動（ＨＲＶ）を描く。ＨＲＶから心拍間隔ＩＢＩ（秒）が決定される。
【００３２】
プロセッサによって実行されるプログラムは、第二ユーザ１２のＩＢＩデータも取得する。上部グラフ２６は両方のユーザ１２のＩＢＩデータを視覚化する。異なる色が使用され、この実施例においては、白い楕円は第一ユーザ１２のＩＢＩデータをあらわし、一方（小さい方の）赤い楕円は第二ユーザ１２のＩＢＩデータをあらわす。ｎ番目の測定されたＩＢＩは、ｙ軸上のｎ＋ｉ番目の測定されたＩＢＩに対してｘ軸上にプロットされる。これはグラフ２６に示されるような楕円２８をもたらす（ｉ＝１）。ｉ＝０の場合プロットは原点を通る直線になる。円形のプロットを得るためには、ＩＢＩ  ｎ  ｖｓ．  ＩＢＩ  ｎ＋ｉｃｉｒｃｌｅをプロットする必要がある。ここで、ｉｃｉｒｃｌｅは以下の方法で推定される。
0005770083.tif 000002
ここでＴｐａｃｅｒはペーサの周期（秒）であり、ＩＢＩａｖｅｒａｇｅは平均ＩＢＩ（秒）である。比率Ｔｐａｃｅｒ／ＩＢＩａｖｅｒａｇｅは楕円の１パスに対するデータ点の数である。この数を上記式に示されるように４で割ることによって、楕円を円に変えるための９０度位相係数を与える。各人ごとにｉｃｉｒｃｌｅは異なり得るが、実際にはこれらは過度に異なることはない（係数２未満）。円形プロットの例は図５に示される。ここでｉ＝３（最も近い整数値）は円形プロットへの最良近似を与える。図５はｉｃｉｒｃｌｅの式を用いてｉ＝３の指数を用いて円に変形された楕円を示す。
【００３３】
ユーザ１２へのフィードバックは、この場合楕円２８である。これらはユーザ１２の測定された生理的パラメータに基づく出力を構成する。ユーザ１２は、彼らが行っている練習における彼らの現在のパフォーマンスを見るために楕円２８を考察することができる。楕円２８の形状と配置は、ユーザが自身の現在の生理的状態の質を決定するのを助ける。例えば、インターフェース２２によって示される、より広げられたより薄い楕円２８は、ユーザのより"コヒーレント状態"をあらわすと見なされることができ、これはユーザの呼吸ペースと心拍の間でのよい同期を示す。楕円２８の線の太さ、すなわち半径の変動は、コヒーレンスの尺度である。例えば気が散ること又は驚くことの結果として、ユーザ１２のコヒーレンス状態の中断は、楕円軌道からの急激な即時の逸脱をもたらす。こうした出力の例は図６に示される。
【００３４】
この図において、楕円２８'は、グラフ２６において点によって前に規定された軌道から、即座にかつ明らかに離脱している。これは、ユーザによるその練習の中断の迅速な視覚化と検出を可能にする。上記の楕円視覚化法では、中断検出には約１秒かかる。迅速な検出は、呼吸ペーシングなどのフィードバック及び是正措置がより速く使用されることができ、コヒーレント状態の迅速な回復につながるため、有利である。ストレスを解消しようとしている人１２の体験は、このために大幅に充実される。図６は楕円２８'を上部グラフ２６において示し、心拍間隔に対する、ユーザが驚くことによる影響を示す。データ点は楕円の前の軌道から飛び離れ、イベントが発生したことを直ちに示す。
【００３５】
上記説明は２人のユーザ１２に関して詳述されているが、２人の人１２及び２つの楕円２８の代わりに、この方法は、手順の大幅な改作なく、より多くのユーザにも拡張されることができる。
【００３６】
システム１０によって測定された生理的パラメータについてのデータの出力は、多くの異なる方法で実行されることができる。ここで、三次元らせんとして表示されるデータをもたらす第二の実施形態が説明される。この実施形態は第一の実施形態に基づく。三次元に二重らせんをプロットするために、図７に示されるように２つの生データ楕円２８がキャプチャされる。図７は２人のユーザ１２から取られた生データＩＢＩ楕円２８を示す。第一ユーザ"人１"はデータプロット２８ａによってあらわされ、第二ユーザ"人２"はデータプロット２８ｂによってあらわされる。第一の実施形態において、これらの楕円２８はユーザ１２にそのまま示されるが、この第二の実施形態においては、データは各ユーザ１２への出力の前にさらに処理される。
【００３７】
楕円２８は、平均ＩＢＩを引くことによって原点へ平行移動される。続いてこれらが重なるようにリスケールされる。結果は図８に示される。リスケーリング係数は両方の人のＨＲＶの相対振幅の尺度である。図８は、平行移動されスケールされたＩＢＩ楕円３４ａ及び３４ｂを、２人のユーザ、人１及び人２に対してそれぞれ示す。楕円２８ａ及び２８ｂが平行移動されリスケールされた後、プロットに時間という第三次元が加えられる。得られる二重らせん状構造３６ａ及び３６ｂは図９に示される。適切なフィルタリング又は平均化により、より滑らかな表現が可能である。図９は２人のユーザ、人１及び人２のＩＢＩデータに基づく二重らせん３６を示す。楕円上のデータ点の時間発展は、図９に示されるように、プロット中の第三次元として時間軸を用いることによって、より容易に観察されることができる。こうした表現はまた、２人の人の間でのもつれ感も伝える。三次元らせん表現は心拍変動における１８０度位相シフトの正確さのフィードバックを可能にする。
【００３８】
データの他の表現が可能である。例えば、二次元（楕円型）プロットにおいて、最後の、例えば１０のＩＢＩデータ点が、二次元プロットにおいて異なる色を用いて示されることができる。他の代替的なアイデアは、グラフ表示上のプロットの完全飽和（最後のデータ点）から不飽和（まだ表示されている第一データ点）の表示へと色を変化させるユーザを含む。
【００３９】
システム１０のさらなる実施形態において、ユーザへの出力はタントラで使用されることができる。タントラから、２人の人が愛し合い逆位相で呼吸するとき、これはより高い恍惚につながり得ることが知られている。この位相を決定するために、両方の人のＩＢＩが図１０に示されるように時間でプロットされる。この図においては、２人のユーザ１２のデータプロット３８ａ及び３８ｂが示される。
【００４０】
２曲線の干渉パターンは２曲線を足すことによって決定されることができる。それに続く二乗化と加算が、２曲線の加算に対して実行されることができ、これは出力として生成される数をもたらす。この数が小さいほど、２人の人は逆位相でうまく呼吸している（理想的にはこの数はゼロであるべきである）。その狙いは、２人の人の行為への関与を定量化する方法を提供することである。図８に示される視覚化法は、呼吸サイクルの反コヒーレンスにおける中断を、容易にかつ発生後すぐに検出することを可能にする。着色光の調光及び増強などのペーシング補助が、純粋な反コヒーレンスに入ることを促進するために使用され得る。
【００４１】
この発明はライフスタイル及び健康の分野に応用されることができる。より具体的には、ヨガトレーニング、２人の人に対するタントラ（逆呼吸）、及び、複数の人が最良の結果に達するために自分のＨＲＶを制御しなければならないゲーム（例えば二重、三重、又は四重らせん）がある。
【００４２】
システム１０は、同じ位置にいる２人の人によって使用されるだけでなく、世界中に広がる人々を一緒につなぐためにも実施されることができる。本発明のシステム１０は、例えば呼吸リズム又は心拍変動のペーシングを提供する、インターネットベースのグループ瞑想サービスを提供するために使用されることができる。同期されたペーサの呼吸ペーサは、グループ瞑想に参加している人々の同調を促進することができる。同調したグループに参加することは、変革的体験となり得る。こうした同調がインターネットを通して提供される場合、より多くの観客が互いに同調することができ、有益な効果を大きく増強させる。
【００４３】
この実施形態において、システム１０は、ユーザがログインすることができる、同期された心拍変動ペーサ又は呼吸ペーサをサービスプロバイダが提供するように構成される。心拍又は呼吸センサ１８はペーシングリズム１６のコンプライアンスを定量化するために使用されることができる。コンプライアンスのレベルはサービスプロバイダにアップロードされる。その目的は、グループ瞑想に参加しているユーザ１２の同調を促進することである。同調しているユーザ１２の数が表示されることができる。同調の質は、ペーサタイミングをオフセットするある種のガウス曲線として表示されることができる。完全な同調への進展は、現在の瞑想セッションの結果を前セッションの結果と比較することによって示されることができる。従ってシステム１０はインターネットグループ瞑想サービスにおいて使用されることができる。
【図１】
0005770083.tif 000003
【図２】
0005770083.tif 000004
【図３】
0005770083.tif 000005
【図４】
0005770083.tif 000006
【図５】
0005770083.tif 000007
【図６】
0005770083.tif 000008
【図７】
0005770083.tif 000009
【図８】
0005770083.tif 000010
【図９】
0005770083.tif 000011
【図１０】
0005770083.tif 000012